(57)【要約】【課題】IT製品清掃器の提供。【解決手段】２個の清掃構成部品を結合し、２種の清掃機能を備えた清掃器を提供する。該２個の清掃構成部品は共にハウジング、挟持器、清掃部品を含み、該挟持器前端の挟口により該清掃部品を挟持し、該挟持器が備える突起リブと該ハウジングは係合し、単独の清掃構成部品を構成する。該前方の清掃部品はそれぞれブラシと清拭布である。また本体により該２個の清掃構成部品を収納及び組み合わせ、使用者は該IT製品清掃器上の単独の清掃構成部品を利用し、IT製品表面のほこり及び汚れを除去及び清拭することができ、さらに携帯に便利で、分解が容易で、必要に応じて様々な清掃部品に随時交換することができる。【選択図】図１
0003130672.tif 000002
【実用新案登録請求の範囲】
【請求項１】
IT製品表面のほこり及び汚れを除去及び清拭し、第一清掃構成部品、第二清掃構成部品、及び該第一清掃構成部品と該第二清掃構成部品を収容し組み合わせる本体を備え、
該第一清掃構成部品は第一ハウジング、第一挟持器、ブラシを含み、該第一挟持器前端には第一挟口を備え該ブラシを挟持し、しかも該第一挟持器と該第一ハウジングは係合し、こうして該ブラシはIT製品のほこりを清掃可能で、
該第二清掃構成部品は第二ハウジング、第二挟持器、清拭布を含み、該第二挟持器前端の第二挟口により該清拭布を挟持し、しかも該第二挟持器と該第二ハウジングは係合し、こうして該清拭布によりIT製品の表面を清拭することができることを特徴とするIT製品清掃器。
【請求項２】
前記第一挟持器上にはさらに多数の第一突起リブを備え、しかも該第一ハウジング内部にはさらに多数の第一凸部を備え、該各第一突起リブと該各第一凸部は係合し、こうして該第一挟持器と該第一ハウジングは嵌合することを特徴とする請求項１記載のIT製品清掃器。
【請求項３】
前記第二挟持器上にはさらに多数の第二突起リブを備え、しかも該第二ハウジング内部にはさらに多数の第二凸部を備え、該各第二突起リブと該各第二凸部は係合し、こうして該第二挟持器と該第二ハウジングは嵌合することを特徴とする請求項１記載のIT製品清掃器。
【請求項４】
前記清拭布内部にはさらにクッションを包覆し、清拭布の使用量を減少させ、該清拭布と清拭表面の接触面積を増大させることを特徴とする請求項１記載のIT製品清掃器。
【考案の詳細な説明】
【技術分野】
【０００１】
本考案は一種のIT製品清掃器に関する。特に一種のIT製品清掃器に係る。
【背景技術】
【０００２】
知識の急激な増加と多様な技術への需要に対応するため、IT産業は急速に成長しており、コンピュータなどのIT製品に対する個人の依存度と必要性も日増しに拡大している。IT製品の使用回数の増加に従い、IT製品の表面或いは溝などにはほこりが積もり、或いは汚れがこびり付く現象も見られるようになり、コンピュータを例に挙げれば、モニター、キーボード、マウスなどは手で触れるため汚れがつき易く、コンピュータの表面、マザーボード、キーボードのボタン間などにはほこりがたまり易い。
しかし、IT製品は精密な電子製品であるため、ほこり或いは他の汚れ物質の存在がその正常な作動に影響を及ぼす可能性がある。よってこれら装置の使用寿命を延長するために、日常的にこれらIT製品に対して掃除やメンテナンスを行う必要がある。
この問題を解決するため、台湾特許公告第３９４３９５号は多機能コンピュータブラシを掲示している。該構造は棒体上の溝の深さに適した定位円凹弧状部を通して、可動クリップ上の定位円凸点を係合するものである。この設計により、可動クリップはブラシ部を調整し収束、半収束、或いは自然展開状を形成し、様々なサイズの溝及び表面のほこりを掃除することができる。
しかし、該装置の体積は比較的大きく、収納が容易でない。さらに、そのブラシ部は交換不能であるため、ブラシ部が損壊或いはよごれても交換することができず、コンピュータブラシ全体を廃棄しなければならない。
【０００３】
一方、台湾特許公告大３９２４９７号は簡易式ほこり清拭器を掲示する。該構造は外ケースの内壁底面に数個の小ガードブロックを設置し、底板の周辺には突出した数個の逆カギ係合ほぞ或いは環状に突出した逆カギ係合リングを設置する。該底板を静電気清拭布の上面に置き、清拭布の四周を底板上層に折りいれ、さらに該外ケースで該底板上を覆う。しかも該逆カギ係合ほぞ（或いは係合リング）により該小ガードブロックを固定し、該外ケースと該底板は結合され、こうして物品表面を拭くことができる。
しかし、該ほこり清拭器の静電気清拭布は使用者の必要に応じて交換することができるが、装置全体の体積が大き過ぎ、携帯の便が悪い。しかも清拭面積が比較的大きい表面への使用に限定され、もし表面の面積が小さく清拭器を差し入れにくい所であれば、清拭の目的を達成することはできない。
また上記２種の構造は共に、ほこりの除去或いは表面清拭の単一機能のみを備えるため、IT製品の清掃整理を行おうとする時には、清掃の目的を達成するためには、多数の装置を携帯する必要があり、使用上非常に不便である。
【考案の開示】
【考案が解決しようとする課題】
【０００４】
上記課題を解決するため、本考案は下記のIT製品清掃器を提供する。
それは主に２種の清掃構成部品を結合し、２種の清掃機能を備えた清掃器を提供し、
本考案が提供するIT製品清掃器の最適実施例は２個の清掃構成部品と本体を含み、
該本体は該２個の清掃構成部品を収容し組み合わせ、
該２個の清掃構成部品は共にハウジング、挟持器、清掃部品を含み、該挟持器前端の挟口により該清掃部品を挟持し、該挟持器が備える突起リブと該ハウジング内部の凸部は係合し、こうして該ハウジングと相互に嵌合し単独の清掃構成部品を構成し、
該２個の清掃構成部品の清掃部品はそれぞれブラシと清拭布で、使用者は該ブラシによりIT製品のほこりを除去し、また該清拭布によりIT製品の表面を清拭し、しかも清掃部位の大きさ、特性、及び使用者の必要、或いは清掃部品の汚れ或いは損壊に応じて、該清掃部品を交換可能で、さらに携帯に便利で、分解が容易であるIT製品清掃器を提供する。
【課題を解決するための手段】
【０００５】
請求項１の考案は、IT製品表面のほこり及び汚れを除去及び清拭し、第一清掃構成部品、第二清掃構成部品、及び該第一清掃構成部品と該第二清掃構成部品を収容し組み合わせる本体を備え、
該第一清掃構成部品は第一ハウジング、第一挟持器、ブラシを含み、該第一挟持器前端には第一挟口を備え該ブラシを挟持し、しかも該第一挟持器と該第一ハウジングは係合し、こうして該ブラシはIT製品のほこりを清掃可能で、
該第二清掃構成部品は第二ハウジング、第二挟持器、清拭布を含み、該第二挟持器前端の第二挟口により該清拭布を挟持し、しかも該第二挟持器と該第二ハウジングは係合し、こうして該清拭布によりIT製品の表面を清拭することができることを特徴とするIT製品清掃器としている。
請求項２の考案は、前記第一挟持器上にはさらに多数の第一突起リブを備え、しかも該第一ハウジング内部にはさらに多数の第一凸部を備え、該各第一突起リブと該各第一凸部は係合し、こうして該第一挟持器と該第一ハウジングは嵌合することを特徴とする請求項１記載のIT製品清掃器としている。
請求項３の考案は、前記第二挟持器上にはさらに多数の第二突起リブを備え、しかも該第二ハウジング内部にはさらに多数の第二凸部を備え、該各第二突起リブと該各第二凸部は係合し、こうして該第二挟持器と該第二ハウジングは嵌合することを特徴とする請求項１記載のIT製品清掃器としている。
請求項４の考案は、前記清拭布内部にはさらにクッションを包覆し、清拭布の使用量を減少させ、該清拭布と清拭表面の接触面積を増大させることを特徴とする請求項１記載のIT製品清掃器としている。
【考案の効果】
【０００６】
上記のように、本考案IT製品清掃器は第一清掃構成部品と第二清掃構成部品の組み合わせを利用し、IT製品の表面或いは溝中にほこりや汚れがある時、該第一清掃構成部品と該第二清掃構成部品上の第一清掃部品及び第二清掃部品のブラシ及び清拭布の設計により清掃することができる。こうして本考案IT製品清掃器は２種の清掃機能を備え、さらにブラシと清拭布は使用者の必要に応じて交換可能で、しかも携帯に便利で取り外しが容易であるという長所を備える。
【考案を実施するための最良の形態】
【０００７】
本考案が提出するIT製品清掃器１の最適実施例図である図１に示すように、それは第一清掃構成部品１０、第二清掃構成部品２０、該第一清掃構成部品１０、該第二清掃構成部品２０を収容する本体３０を含む。
該本体３０の両側には第一開口部３１、第二開口部３２を設置し、それぞれ該第一清掃構成部品１０と該第二清掃構成部品２０を収容することができ、こうして図３に示す携帯に便利なIT製品清掃器１を構成する。
該第一清掃構成部品１０は本最適実施例中ではIT製品（図示なし）上のほこりを除去する。該第一清掃構成部品１０は第一ハウジング１１、第一挟持器１２、第一清掃部品１３を含む。該第一清掃部品１３は本最適実施例ではブラシである。
該第一挟持器１２は前方の第一挟口１２０によりブラシの背板１３０を挟持し、さらに第一挟持器１２上の多数の第一突起リブ１２１を対応させ該第一ハウジング１１内部の多数の第一凸部１１０と係合する。こうして、該第一ハウジング１１と該第一挟持器２は相互に嵌合され、単独の第一清掃構成部品１０を形成する。嵌合後の第一清掃構成部品１０は図２に示す。使用者は該第一清掃構成部品１０上のブラシを用い、IT製品上のほこりを清拭することができる。
該第一清掃構成部品１０上のブラシは使用者の必要に応じて交換することができるため、ブラシが汚れ或いは損壊した場合にも、使用者は簡単に該第一清掃構成部品１０を分解し、先端のブラシを交換或いは洗浄することができる。また該ブラシは多種の大きさに設計することができるため、使用者の必要に応じて様々に変化させることができる。例えば、キーボードのボタン間などの小さな空隙を清掃する場合には、幅が狭いブラシを選択し、比較的大きな表面を清掃する場合には、幅が広いブラシを選択する。
【０００８】
続いて、該第二清掃構成部品２０は本最適実施例ではIT製品の表面清拭に用いる。該第二清掃構成部品２０の基本構造は該第一清掃構成部品１０と相同で、第二ハウジング２１、第二挟持器２２、第二清掃部品２３を含む。該第二清掃部品２３は本最適実施例では清拭布である。
該第二挟持器２２は前方の第二挟口２２０を通して清拭布を挟持し、さらに該第二挟持器２２上の多数の第一突起リブ２２１を対応させ、該第二ハウジング２１内部の多数の第一凸部２１０を係合する。これにより、該第二ハウジング２１と該第二挟持器２２は相互に嵌合し、単独の第二清掃構成部品２０を形成する。嵌合後の第二清掃構成部品２０は図２に示す。使用者は該第二清掃構成部品２０上の清拭布を用い、IT製品の表面を清拭することができる。
別に清拭布の内側にはクッション（図示なし）を包覆することもでき、該クッションの設計により、清拭布の使用量を減らすことができ、さらには清拭布全体の体積を増大させることもできる。こうして清拭布のIT製品表面との接触面の面積を拡大することができる。
【０００９】
該第二清掃構成部品２０上の清拭布は使用者の必要に応じて交換することができるため、清拭布が汚れ或いは損壊した場合には、使用者は該第二清掃構成部品２０を簡単に分解し、先端の清拭布を交換或いは洗浄することができる。
またIT製品表面を清拭した清拭布の接触面が汚れ使用できなくなった場合には、該清拭布を取外し、他の未使用の部分に移動させ、該清拭布のあらゆる部分を十分に利用することができる。
該清拭布の材質も清拭物の表面特性に応じて変化させることができる。例えば、コンピュータ、携帯電話端末、デジカメ、PDAなどのIT製品のスクリーン表面、特に液晶スクリーンを清拭する場合には、液晶表面は脆弱であるため傷がつき易いことに考慮し、きめ細かい材質の清拭布を使用する必要がある。一方、一般のケース或いはマウスなどの一般装置の表面を清拭する場合には、一般的な材質の清拭布を使用すれば良い。
【００１０】
本実施例の使用時には、図２、３に示すように、該第一清掃構成部品１０と該第二清掃構成部品２０をそれぞれが本体３０から取り出し、該本体３０との嵌合状態を解除する。こうして該第一清掃構成部品１０上のブラシはIT製品のほこりを除去可能で、該第二清掃構成部品２０上の清拭布はIT製品の表面を清拭することができる。該第二清掃構成部品２０を使用する時には、掃除用洗剤を使用し、清拭効果を向上させることができる。
【００１１】
本考案の別種の最適実施例では、該本体３０中央にはさらに隔絶板３３を設置することができる。図４に示すように、該隔絶板３３は該第一清掃構成部品１０と該第二清掃構成部品２０の区画に用い、該隔絶板３３の設置により、該本体３０の構造強度を高めることもできる。
上記は本考案の最適実施例であり、本交換を限定するものではない。当該技術を熟知する者が本考案の精神と領域を脱しない範囲内で行う各種の変動や潤色もすべて本考案の保護範囲に含まれる。
【図面の簡単な説明】
【００１２】
【図１】IT製品清掃器実施例の分解構造図である。
【図２】IT製品清掃器実施例の組み合わせ構造図である。
【図３】IT製品清掃器実施例の概略図である。
【図４】IT製品清掃器の別種の実施例の本体構造図である。
【符号の説明】
【００１３】
１  IT製品清掃器
１０  第一清掃部品
１１  第一ハウジング
１１０  第一凸部
１２  第一挟持器
１２０  第一挟口
１２１  第一突起リブ
１３  第一清掃部品
１３０  ブラシの背板
２０  第二清掃部品
２１  第二ハウジング
２２  第二挟持器
２３  第二清掃部品
３０  本体
３１  第一開口部
３２  第二開口部
３３  隔絶板
【図１】
0003130672.tif 000003
【図２】
0003130672.tif 000004
【図３】
0003130672.tif 000005
【図４】
0003130672.tif 000006